(57)【要約】      （修正有）【課題】空気の気流により羽根片を駆動して回転させ、羽根片の回転効率を高め、発電量を増す、モーターサイクルに応用される風力発電モジュールを提供する。【解決手段】モーターサイクルに応用される風力発電モジュールは、モーターサイクルに設置され、モーターサイクル走行時に外部空気が自然な入気方式で風力発電モジュールに導入され発生する気流により駆動されて回転する羽根片と、ロータが羽根片と連動して発電するディスク式発電機と、羽根片の外側に繞設されて開口を有し、開口に羽根片を収容し、開口の開口前側が気流の入風部分であり、開口の開口後側が気流の出風部分であり、且つ開口前側のサイズは開口後側のサイズより小さいカバーと、入風部分と出風部分にそれぞれ設置された前防護カバーと後防護カバーと、を包含する。【選択図】図２
0003162838.tif 000002
【実用新案登録請求の範囲】
【請求項１】
モーターサイクルに応用される風力発電モジュールにおいて、該風力発電モジュールはモーターサイクルに取付けられ、
モーターサイクル走行時に該風力発電モジュールに空気を導入し、該空気の気流により駆動されて回転する羽根片と、
該羽根片に連帯回転するロータを具えて電力を発生するディスク式発電機と、
該羽根片の外側に繞設されて開口を有し、該開口に該羽根片を収容し、該開口の開口前側が該気流の入風部分であり、該開口の開口後側が該気流の出風部分であり、且つ該開口前側のサイズは該開口後側のサイズより小さいカバーと、
該入風部分に取り付けられる前防護カバーと該出風部分に取り付けられる後防護カバーと、
を包含したことを特徴とする、モーターサイクルに応用される風力発電モジュール。
【請求項２】
請求項１記載のモーターサイクルに応用される風力発電モジュールにおいて、該羽根片の断面形状が翼形形状とされ、該羽根片がねじれ角を具えたことを特徴とする、モーターサイクルに応用される風力発電モジュール。
【請求項３】
請求項１記載のモーターサイクルに応用される風力発電モジュールにおいて、該ディスク式発電機は羽根片のハブと一体に整合されていることを特徴とする、モーターサイクルに応用される風力発電モジュール。
【請求項４】
請求項１記載のモーターサイクルに応用される風力発電モジュールにおいて、該ディスク式発電機が他の種類の発電機に置換されたことを特徴とする、モーターサイクルに応用される風力発電モジュール。
【請求項５】
請求項１記載のモーターサイクルに応用される風力発電モジュールにおいて、該カバーの外側周縁に外向きに突出する突伸部が設けられたことを特徴とする、モーターサイクルに応用される風力発電モジュール。
【請求項６】
請求項１記載のモーターサイクルに応用される風力発電モジュールにおいて、該カバーの断面形状が翼形、円弧面形状、四角形のいずれかとされたことを特徴とする、モーターサイクルに応用される風力発電モジュール。
【請求項７】
請求項１記載のモーターサイクルに応用される風力発電モジュールにおいて、該カバーが中空体構造とされたことを特徴とする、モーターサイクルに応用される風力発電モジュール。
【請求項８】
請求項１記載のモーターサイクルに応用される風力発電モジュールにおいて、該カバーと該羽根片の外縁との間に間隙が設けられたことを特徴とする、モーターサイクルに応用される風力発電モジュール。
【請求項９】
請求項１記載のモーターサイクルに応用される風力発電モジュールにおいて、バッテリーが該ディスク式発電機に電気的に接続されて、該ディスク式発電機の発生する電力を保存することを特徴とする、モーターサイクルに応用される風力発電モジュール。
【請求項１０】
請求項１記載のモーターサイクルに応用される風力発電モジュールにおいて、該モーターサイクルが、電動オートバイ、電動アシスト自転車、電動三輪スクーター、電動四輪スクーター、電動カートのいずれかとされることを特徴とする、モーターサイクルに応用される風力発電モジュール。
【請求項１１】
請求項１記載のモーターサイクルに応用される風力発電モジュールにおいて、該カバーは空気の流動を加速して該羽根片の回転効率をアップし、これにより該ディスク式発電機の発電量を増すように構成されたことを特徴とする、モーターサイクルに応用される風力発電モジュール。
【考案の詳細な説明】
【技術分野】
【０００１】
本考案は一種の風力発電モジュールに係り、特にモーターサイクルに応用される風力発電モジュールに関する。
【背景技術】
【０００２】
地球の温暖化により形成される温室効果及び石油の日々の枯渇により、世界各国は代替えエネルギーの開発に尽力しており、特に太陽光発電、風力発電及び燃料電池等は重要な主軸となっている。そのうち、太陽光と風力はいずれも無尽蔵であり、汚染のないグリーンエネルギーである。現在世界の発電所、自動車などの交通工具は、石炭及び石化資源を主要な燃料としているが、その発生する二酸化炭素は地球温暖化の主要な原因の一つである。このため、無汚染のグリーンエネルギーが将来の重要な方向である。電動車両は低汚染、低騒音、省エネの交通工具であり、空気汚染と石油貯蔵量が日増しに減少する等の因子の影響の下で、しだいに欧米及び日本など先進各国に重要視され、各国政府はいずれも現在は電動車両の発展の時機であると認めている。オートバイは現在内燃機を主要な動力ソースとしているが、科学技術の進歩に伴い、将来的には、モーターサイクルが二輪車の主流となることが予見される。このためいかに風力発電をモーターサイクルに応用して、モーターサイクルの補助充電装置として、モーターサイクルの走行持続力アップと省エネの目的を達成するかが、重要な課題である。
【０００３】
本考案と関係する従来の技術は、特許文献１乃至７等がある。しかし、これらの文献に記載された風力発電装置はカバーの記載がなく、また、羽根片と発電機の結合の設計も完全ではなく、このため、風力発電の効率が制限される。
【０００４】
本考案は上述の周知の技術の欠点を鑑み、その改良のためになされたものであり、モーターサイクルに応用される風力発電モジュールを改良し、モーターサイクルが走行する時に、空気を該風力発電モジュール内に導入し、該空気の気流により羽根片を駆動して回転させ、及び、カバーの設計により、羽根片の回転効率をアップし、これにより発電機の発電量を増す。
【先行技術文献】
【特許文献】
【０００５】
【特許文献１】台湾特許第Ｍ２７９５３０号明細書
【特許文献２】台湾特許第Ｍ３６７８３３号明細書
【特許文献３】台湾特許第Ｍ３６４０１４号明細書
【特許文献４】台湾特許第Ｍ３５９４３７号明細書
【特許文献５】米国特許早期公報第２００３０１５５４６４Ａ１
【特許文献６】米国特許早期公報第２００５０２１０８５８Ａ１
【特許文献７】米国特許早期公報第２００５０２１１４８８Ａ１
【考案の概要】
【考案が解決しようとする課題】
【０００６】
本考案は一種の風力発電モジュールを提供することを目的とし、それは、マルチ羽根と羽根の翼形断面設計を利用し、及び拡散カバー設計により、大幅に電気エネルギーの出力を増し、モーターサイクルの補助充電装置とされ、モーターサイクルの走行持続力と省エネの目的を達成できるものとする。
【０００７】
本考案の別の目的は、一種の風力発電モジュールを提供することにあり、それは、ポータブルな発電モジュールとされ、これによりオートバイの適宜位置に取付けられ、例えばヘッド上方に取付けられ、半ウインドシールドとすることができ、或いはオートバイのハンドル、オートバイの前板外側、或いはオートバイの前板内側に設置され、車体の構造及び外形を変更する必要がなく、さらにオートバイのほか、自転車、自動車などの移動物体に取付けられ、或いは屋外に随意に設置し、自然入気方式により、発電機を駆動して発電させ、電源供給装置となすことができるものとする。
【０００８】
本考案のさらに別の目的は、一種の風力発電モジュールを提供することにあり、その羽根ハブはディスク式発電機に結合可能とされて、モジュール化設計を達成し、且つコストダウンできるものとする。
【課題を解決するための手段】
【０００９】
上述の目的を達成するため、本考案は一種のモーターサイクルに応用される風力発電モジュールを提供し、そのうち、風力発電モジュールはモーターサイクルに取付けられ、モーターサイクルの走行により空気が該風力発電モジュールに導入されることで回転する羽根片と、該羽根片に連帯して回転するロータを具えて電力を発生するディスク式発電機と、該羽根片の外側に繞設されて開口を有し、該開口に該羽根片を収容し、該開口の開口前側が該気流の入風部分であり、該開口の開口後側が該気流の出風部分であり、且つ該開口前側のサイズは該開口後側のサイズより小さいカバーと、該入風部分に設置される前防護カバーと該出風部分に設置される後防護カバーと、を包含する。
【考案の効果】
【００１０】
本考案の上述のモーターサイクルの例は、例えば、電動オートバイ、電動アシスト自転車、電動三輪スクーター、電動四輪スクーター、電動カートのいずれかとされ得る。
【００１１】
本考案の風力発電モジュール１０はスクーター以外にも、自転車、オートバイ、自動車などの移動車両に応用され得るほか、屋外に随意に設置して、自然入気方式で発電機を駆動して発電でき、電源供給装置とすることができる。
【００１２】
本考案の風力発電モジュールはモーターサイクルの走行時に、空気を風力発電モジュールに導入し、空気の気流により羽根片を駆動して回転させ、また、カバーの設計により、羽根片の回転効率を高め、ディスク式発電機の発電量を増し、これが本考案の顕著な機能向上の部分である。
【図面の簡単な説明】
【００１３】
【図１Ａ】本考案のモーターサイクルに応用される風力発電モジュールの正面図である。
【図１Ｂ】本考案のモーターサイクルに応用される風力発電モジュールの後面図である。
【図２】本考案のモーターサイクルに応用される風力発電モジュールの立体図である。
【図３Ａ】本考案のモーターサイクルに応用される風力発電モジュールの電動スクーターへの取付け表示図である。
【図３Ｂ】本考案のモーターサイクルに応用される風力発電モジュールの電動アシスト自転車への取付け表示図である。
【図３Ｃ】本考案のモーターサイクルに応用される風力発電モジュールのモーターサイクルへの取付け表示図である。
【図４Ａ】本考案のモーターサイクルに応用される風力発電モジュールの羽根片の具体例の構造図である。
【図４Ｂ】図４Ａの羽根片の断面図である。
【図４Ｃ】本考案のモーターサイクルに応用される風力発電モジュールの羽根片変化の具体例の構造図である。
【図５Ａ】本考案のモーターサイクルに応用される風力発電モジュールのカバーの具体的実施例図２のＢ−Ｂ断面である。
【図５Ｂ】図５Ａのカバーに突伸部を増設した断面図である。
【図６Ａ】本考案のモーターサイクルに応用される風力発電モジュールのカバーの別の具体的実施例の断面図である。
【図６Ｂ】図６Ａのカバーに突伸部を増設した断面図である。
【考案を実施するための形態】
【００１４】
図１Ａは本考案のモーターサイクルに応用される風力発電モジュールの正面図、図１Ｂは本考案のモーターサイクルに応用される風力発電モジュールの後面図、図２は本考案のモーターサイクルに応用される風力発電モジュールの立体図、図３Ａは本考案のモーターサイクルに応用される風力発電モジュールの電動スクーターへの取付け表示図、図３Ｂは本考案のモーターサイクルに応用される風力発電モジュールの電動アシスト自転車への取付け表示図、図３Ｃは本考案のモーターサイクルに応用される風力発電モジュールのモーターサイクルへの取付け表示図である。本考案のモーターサイクルに応用される風力発電モジュール１０は、ポータブルな風力発電モジュールの設計を採用しており、任意の適宜位置に取付けられる。モーターサイクルの例を以て説明すると、風力発電モジュール１０はモーターサイクルのヘッド上方に取付けられ、半ウインドシールドとされるか、或いはモーターサイクルのハンドル、或いはモーターサイクルの前板上、或いはモーターサイクルの前板内に取付けられる。モーターサイクルが走行する時、空気が風力発電モジュール１０に導入され、この空気の気流が羽根片１０１を駆動して回転させ、それに連帯してディスク式発電機１０３のロータが回転し、ディスク式発電機１０３がこれにより電力を発生する。本考案の風力発電モジュール１０は、少なくとも一つの羽根片１０１、ディスク式発電機１０３、カバー１０５、前防護カバー１０７ａ、後防護カバー１０７ｂを包含する。それぞれについて、以下に説明する。
【００１５】
羽根片１０１は流動する入気気流の作用を受けて回転する。羽根片１０１の数量はマルチブレードを採用可能であり、羽根片１０１の羽根構造は羽根断面が翼形構造設計を採用してもよく、図４Ａには本考案のモーターサイクルに応用される風力発電モジュールの羽根片の具体例の構造図が示され、図４Ｂは図４Ａの羽根片の断面図である。さらに、該羽根片１０１はねじれ角１０１ｂを包含し得て、図４Ｃは本考案のモーターサイクルに応用される風力発電モジュールの羽根片変化の具体例の構造図である。羽根片１０１は直接その他の周知のブレードの構造技術を採用可能である。当然、本考案の羽根片１０１は図４Ａから図４Ｃに示されるものに限定されるわけではなく、当業者が同等の範囲内で行うことのできる変化はいずれも本考案の範疇に属する。
【００１６】
ディスク式発電機１０３はこれら羽根片１０１のハブ１０１ａと一体に整合されている。これら羽根片１０１が回転する時、回転運動がディスク式発電機１０３のロータに伝えられ、これによりディスク式発電機１０３が電力を発生する。ディスク式発電機１０３には直接周知のディスク式発電機を採用することができる。さらに、ディスク式発電機１０３はその他の種類の発電機に置換可能である。
【００１７】
カバー１０５はこれら羽根片１０１の外側を囲み、且つカバー１０５は開口１０５ａを有する。開口１０５ａはこれら羽根片１０１を収容し、カバー１０５とこれら羽根片１０１の外周の間にはある距離を有する間隙が設けられる。これら羽根片１０１は開口１０５ａの中を自由に回転する。図５Ａから図６Ｂもあわせて参照されたい。開口１０５ａの開口前側１０５１は上述の気流の入風部分とされ、開口１０５ａの開口後側１０５３は上述の気流の出風部分とされ、すなわち、これら羽根片１０１の迎風面は開口前側１０５１に位置し、これら羽根片１０１の出風面は開口後側１０５３に位置する。注意すべきことは、開口前側１０５１のサイズは開口後側１０５３のサイズより小さいことである。カバー１０５は例えば中空体構造を採用することができる。
【００１８】
開口前側１０５１のサイズが開口後側１０５３のサイズより小さい設計は、空気の流動を加速させ、これら羽根片１０１の回転効率をアップし、これによりディスク式発電機１０３の発電量を増加する。
【００１９】
図５Ａには本考案のモーターサイクルに応用される風力発電モジュールのカバーの具体的実施例図２のＢ−Ｂ断面が示される。図５Ｂは図５Ａのカバーに突伸部を増設した断面図である。カバー１０５の断面形状は翼形形状或いは円弧面形状が採用される。さらに、図５Ｂのカバーに突伸部を増設したカバー１０５の図２Ａ−Ａ断面図を参照されたい。カバー１０５の外側周縁には突伸部１０５５が設置され、突伸部１０５５はカバー１０５の外側周縁より外向きに突伸している。
【００２０】
図６Ａは本考案のモーターサイクルに応用される風力発電モジュールのカバーの別の具体例の断面図である。図６Ｂは図６Ａのカバーに突伸部を増設した断面図である。カバー１０５には台形断面を有する中空構造体を採用できる。さらに、カバー１０５の外側周縁にさらに突伸部１０５５が設置され、突伸部１０５５はカバー１０５の外側周縁より外向きに突伸する。
【００２１】
当然、本考案のカバー１０５は図５Ａから図６Ｂに示されるものに限定されず、当業者が同等の範囲内でなし得る変化は、いずれも本考案の範疇に属する。
【００２２】
前防護カバー１０７ａと後防護カバー１０７ｂはそれぞれ開口前側１０５１の入風部分と開口後側１０５３の出風部分に設置される。
【００２３】
さらに本考案の風力発電モジュール１０はさらにバッテリー１０９を包含し、バッテリー１０９はディスク式発電機１０３に電気的に接続される。バッテリー１０９の機能はディスク式発電機１０９の発生した電力を保存することにある。バッテリー１０９はモーターサイクルにビルトインされたバッテリーに置換してもよい。
【００２４】
以上の説明は本考案の好ましい実施例に係るものであり、本考案の実施可能な範囲を限定するためのものではなく、当業者がそれに基づきなし得る変化及び修飾は、いずれも本考案の実質内容から乖離しないものと見なされる。
【符号の説明】
【００２５】
１０  風力発電モジュール
１０１  羽根片
１０１ａ  ハブ
１０３  ディスク式発電機
１０５  カバー
１０５ａ  開口
１０７ａ  前防護カバー
１０７ｂ  後防護カバー
１０９  バッテリー
１０５１  開口前側
１０５３  開口後側
１０５５  突伸部
【図１Ａ】
0003162838.tif 000003
【図１Ｂ】
0003162838.tif 000004
【図２】
0003162838.tif 000005
【図３Ａ】
0003162838.tif 000006
【図３Ｂ】
0003162838.tif 000007
【図３Ｃ】
0003162838.tif 000008
【図４Ａ】
0003162838.tif 000009
【図４Ｂ】
0003162838.tif 000010
【図４Ｃ】
0003162838.tif 000011
【図５Ａ】
0003162838.tif 000012
【図５Ｂ】
0003162838.tif 000013
【図６Ａ】
0003162838.tif 000014
【図６Ｂ】
0003162838.tif 000015